(57)【要約】【課題】信頼性が高いプログラム説明書を容易に作成すること。【解決手段】仕様選択部１１が、プラント制御プログラム２２の仕様を選択するための仕様メニューを表示し、仕様メニューの中から選択された仕様のデータを出力し、仕様テーブル作成部１２が、仕様選択部１１から出力された仕様のデータに基づいて、選択された仕様の識別情報を記述した仕様テーブル２１を作成し、ローダー２０に仕様テーブル２１とプラント制御プログラム２２とをアップロードし、プログラム説明書作成部１３が、ローダー２０内の仕様テーブル２１をダウンロードし、ダウンロードされた仕様テーブル２１内に記述されている仕様の識別情報に基づいて、仕様テーブル２１に関連づけされているローダー２０内のプラント制御プログラム２２の仕様を説明するプログラム説明書を作成する。【選択図】図１
2011192213.tif 000002
【特許請求の範囲】
【請求項１】
プラント設備の制御プログラムの設計作業を支援する設計支援装置であって、
複数の仕様に対応可能な制御プログラムの仕様を選択するための仕様メニューを表示し、該仕様メニューの中から選択された仕様のデータを出力する仕様選択部と、
前記仕様選択部から出力された仕様のデータに基づいて、選択された仕様の識別情報を記述した仕様テーブルを作成し、前記プラント設備のコントローラに前記制御プログラムをローディングするローダーに該仕様テーブルをアップロードする仕様テーブル作成部と、
前記ローダー内の前記仕様テーブルをダウンロードし、ダウンロードされた仕様テーブル内に記述されている仕様の識別情報に基づいて、該仕様テーブルに関連付けされている前記ローダー内の制御プログラムの仕様を説明するプログラム説明書を作成するプログラム説明書作成部と、
を備えることを特徴とする設計支援装置。
【請求項２】
前記ローダーにアップロードされた制御プログラムに対する変更の有無を判定する判定手段を備え、前記プログラム説明書作成部は、前記判定手段が前記制御プログラムの変更があったと判定した場合、変更箇所に対応する仕様以外の仕様を説明するプログラム説明書を作成することを特徴とする請求項１に記載の設計支援装置。
【請求項３】
前記判定手段は、標準の制御プログラムと前記ローダーにアップロードされた制御プログラムとを比較することによって、制御プログラムに対する変更の有無を判定することを特徴とする請求項２に記載の設計支援装置。
【請求項４】
前記判定手段は、前記制御プログラムが変更された際に状態が切り替わるフラグの状態を判別することによって、制御プログラムに対する変更の有無を判定することを特徴とする請求項２に記載の設計支援装置。
【請求項５】
プラント設備の制御プログラムの設計作業を支援する設計支援方法であって、
複数の仕様に対応可能な制御プログラムの仕様を選択するための仕様メニューを表示し、該仕様メニューの中から選択された仕様のデータを出力する仕様選択ステップと、
前記仕様選択ステップによって出力された仕様のデータに基づいて、選択された仕様の識別情報を記述した仕様テーブルを作成し、前記プラント設備のコントローラに前記制御プログラムをローディングするローダーに該仕様テーブルをアップロードする仕様テーブル作成ステップと、
前記ローダー内の前記仕様テーブルをダウンロードし、ダウンロードされた仕様テーブル内に記述されている仕様の識別情報に基づいて、該仕様テーブルに関連付けされている前記ローダー内の前記制御プログラムの仕様を説明するプログラム説明書を作成するプログラム説明書作成ステップと、
を含むことを特徴とする設計支援方法。
【発明の詳細な説明】
【技術分野】
【０００１】
本発明は、各種プラント設備の制御プログラムの設計作業を支援する設計支援装置及び設計支援方法に関するものである。
【背景技術】
【０００２】
一般に、プラント設備の制御システムを新たに構築する場合、技術者が、制御システムの要求仕様を記載した要求仕様書を作成し、要求仕様書に基づいて標準の制御プログラムを変更することによって要求仕様に対応した制御プログラムを作成する。そして、技術者は、作成した制御プログラムを制御システムのプログラマブルコントローラ（ＰＬＣ）にローディングする。これにより、制御システムは、ローディングされた制御プログラムに従って要求仕様に応じた動作を行うことになる。
【０００３】
一方、制御システムの仕様を変更する場合には、技術者は、ＰＬＣにローディングされている制御プログラムを解読することによってその仕様を確認し、確認結果に基づいて制御プログラムの仕様を記載したプログラム説明書を作成する。そして、技術者は、プログラム説明書と新たな要求仕様を記載した要求仕様書とを比較し、比較結果に基づいて制御プログラムを変更する。これにより、制御システムは、変更された制御プログラムに従って新たな要求仕様に応じた動作を行うことになる。
【０００４】
なお、特許文献１には、プラント設備のロジック図を作成する際、仕様の変更に伴い変化する工程、工程間の関連性、及びプラント状態を階層表現と工程の部品化とを組み合わせた表現方法によってユーザに提示する装置が開示されている。この装置によれば、ユーザはロジック図を容易に理解できるようになるので、ロジック図の作成作業に要する負担を軽減することができる。
【０００５】
また、特許文献２には、修正対象のプログラムに関する図形式仕様書を図形式仕様書単位でコンパイルし、中間オブジェクトファイルを図形式仕様書単位で作成すると共に図形式仕様書間の接続情報からなるリンク情報ファイルを作成する装置が開示されている。この装置によれば、プログラムを修正する際には修正が加えられる一部の図形式仕様書のみをコンパイルすればよいので、プログラム修正時のプログラム作成効率を大幅に改善することができる。
【先行技術文献】
【特許文献】
【０００６】
【特許文献１】特開平８−７６８１９号公報
【特許文献２】特開平６−１６８０１１号公報
【発明の概要】
【発明が解決しようとする課題】
【０００７】
しかしながら、制御システムの仕様を変更する際、ＰＬＣにローディングされている制御プログラムを解読する作業は多くの労力及び時間を要する。また、制御プログラムを誤って解読してしまうことがあるために、プログラム説明書の信頼性に問題がある。特に、プラント設備の制御システムの仕様は、頻繁に変更される訳ではなく、１０年、２０年等の比較的長い周期で変更されるために、現在稼働中の制御プログラムに関する情報が少なくなっていることが多い。また、プラント設備の制御システムの制御プログラムは、複数のプログラム言語によって記述されていることが多い。このため、制御プログラムを解読するためにはより多くの労力及び時間を要する。このことから、特にプラント設備の分野では、信頼性が高いプログラム説明書を容易に作成可能な設計支援装置の提供が切望されている。
【０００８】
本発明は、上記課題に鑑みてなされたものであって、その目的は、信頼性が高いプログラム説明書を容易に作成可能な設計支援装置及び設計支援方法を提供することにある。
【課題を解決するための手段】
【０００９】
上記課題を解決し、目的を達成するために、本発明に係る設計支援装置は、プラント設備の制御プログラムの設計作業を支援する設計支援装置であって、複数の仕様に対応可能な制御プログラムの仕様を選択するための仕様メニューを表示し、仕様メニューの中から選択された仕様のデータを出力する仕様選択部と、仕様選択部から出力された仕様のデータに基づいて、選択された仕様の識別情報を記述した仕様テーブルを作成し、プラント設備のコントローラに制御プログラムをローディングするローダーに仕様テーブルをアップロードする仕様テーブル作成部と、ローダー内の仕様テーブルをダウンロードし、ダウンロードされた仕様テーブル内に記述されている仕様の識別情報に基づいて、仕様テーブルに関連付けされているローダー内の制御プログラムの仕様を説明するプログラム説明書を作成するプログラム説明書作成部とを備える。
【００１０】
上記課題を解決し、目的を達成するために、本発明に係る設計支援方法は、プラント設備の制御プログラムの設計作業を支援する設計支援方法であって、複数の仕様に対応可能な制御プログラムの仕様を選択するための仕様メニューを表示し、仕様メニューの中から選択された仕様のデータを出力する仕様選択ステップと、仕様選択ステップによって出力された仕様のデータに基づいて、選択された仕様の識別情報を記述した仕様テーブルを作成し、プラント設備のコントローラに制御プログラムをローディングするローダーに仕様テーブルをアップロードする仕様テーブル作成ステップと、ローダー内の仕様テーブルをダウンロードし、ダウンロードされた仕様テーブル内に記述されている仕様の識別情報に基づいて、仕様テーブルに関連付けされているローダー内の制御プログラムの仕様を説明するプログラム説明書を作成するプログラム説明書作成ステップとを含む。
【発明の効果】
【００１１】
本発明に係る設計支援装置及び設計支援方法によれば、仕様メニューの中から選択された仕様の識別情報を記述した仕様テーブルに基づいてプログラム説明書を作成するので、信頼性が高いプログラム説明書を容易に作成することができる。
【図面の簡単な説明】
【００１２】
【図１】図１は、本発明の一実施形態である設計支援システムの構成を示すブロック図である。
【図２】図２は、プラント制御プログラムの一構成例を示すブロック図である。
【図３】図３は、本発明の一実施形態であるプログラム設計処理の流れを示すフローチャートである。
【図４】図４は、仕様メニュー画面の一構成例を示す模式図である。
【図５】図５は、仕様テーブルの一構成例を示す模式図である。
【図６】図６は、本発明の一実施形態である仕様変更処理の流れを示すフローチャートである。
【図７】図７は、プログラム説明書の一例を示す図である。
【図８】図８は、図１に示す設計支援システムの変形例の構成を示すブロック図である。
【発明を実施するための形態】
【００１３】
以下、図面を参照して、本発明の一実施形態である設計支援システムの構成及びその動作について説明する。
【００１４】
〔設計支援システムの構成〕
始めに、図１を参照して、本発明の一実施形態である設計支援システムの構成について説明する。
【００１５】
図１は、本発明の一実施形態である設計支援システムの構成を示すブロック図である。図１に示すように、本発明の一実施形態である設計支援システム１は、プラント設備２に設けられたポンプＰの動作を制御するコントローラ３内に格納されるプラント制御プログラム２２の設計作業を支援するためのものである。なお、本実施形態では、ポンプＰは、ポンプ井内の汚水を水処理設備に排出するものである。また、本実施形態では、コントローラ３の制御対象はポンプＰであるとしたが、制御対象はポンプＰに限定されることはなく、送風機等のポンプＰ以外の装置であってもよい。
【００１６】
この設計支援システム１は、設計支援装置１０とローダー２０とを備える。設計支援装置１０は、パーソナルコンピュータやワークステーション等の情報処理装置によって構成されている。設計支援装置１０は、仕様選択部１１、仕様テーブル作成部１２、プログラム説明書作成部１３、出力部１４、及び変更有無判別部１５を備える。これら各部の機能は、情報処理装置内のＣＰＵが、ＲＯＭ内に予め記憶されている設計支援プログラムをＲＡＭ内にロードし、ロードされた設計支援プログラムを実行することによって実現される。
【００１７】
仕様選択部１１は、図示しない表示装置に後述する仕様メニューを表示し、技術者が図示しない操作入力装置を操作することによって仕様メニューの中から選択した要求仕様のデータを仕様テーブル作成部１２及びプログラム説明書作成部１３に入力する。仕様テーブル作成部１２は、仕様選択部１１から入力された要求仕様のデータを用いて要求仕様の識別情報を記述した後述する仕様テーブル２１を作成し、作成した仕様テーブル２１のデータをローダー２０にアップロードする。なお、仕様テーブル２１のデータをローダー２０にアップロードするタイミングは、技術者の操作入力を受け付けたときや設計支援装置１０にローダー２０が接続されたとき等、適宜設定することができる。
【００１８】
プログラム説明書作成部１３は、仕様選択部１１から入力された要求仕様のデータ、又は、ローダー２０からダウンロードされた仕様テーブル２１を用いてプラント制御プログラム２２の仕様を記載したプログラム説明書を作成し、作成したプログラム説明書のデータを出力部１４に入力する。出力部１４は、ディスプレイ装置やプリンタ装置等の表示出力装置によって構成されている。出力部１４は、プログラム説明書作成部１３から入力されたプログラム説明書を表示出力する。
【００１９】
変更有無判別部１５は、ローダー２０にアップロードされているプラント制御プログラム２２とオリジナルプログラムデータベース（ＤＢ）１６内に書き換え不可の状態で格納されている標準のプラント制御プログラムとを比較することによって、ローダー２０内のプラント制御プログラム２２に変更が加えられているか否かを判別する。変更有無判別部１５は、判別結果をプログラム説明書作成部１３に入力する。変更有無判別部１５は、本発明に係る判定手段として機能する。
【００２０】
オリジナルプログラムＤＢ１６内に格納される標準のプラント制御プログラム２２は図２に示すような構成を有する。すなわち、プラント制御プログラム２２は、図２に示すように、運転台数決定プログラム２２ａ、運転順序設定プログラム２２ｂ、モード変更時対応プログラム２２ｃ、運転順序変更時対応プログラム２２ｄ、故障発生時対応プログラム２２ｅ、及び故障復帰時対応プログラム２２ｆ等、コントローラ３が有する各機能に対応した制御プログラムを含む。また、各制御プログラムは、種々の要求仕様に対応できるように複数の方式の制御プログラムを含む。
【００２１】
運転台数決定プログラム２２ａは、ポンプ井内の汚水の水位レベルに応じてポンプＰの運転台数を制御するための制御プログラムであり、仕様１〜３にそれぞれ対応する方式１〜３の制御プログラムを含む。運転順序設定プログラム２２ｂは、ポンプＰの運転順序及び停止順序を制御するための制御プログラムであり、仕様１〜３にそれぞれ対応する方式１〜３の制御プログラムを含む。モード変更時対応プログラム２２ｃは、ポンプＰの運転モードが変更された際のポンプＰの運転台数を制御するための制御プログラムであり、仕様１，２にそれぞれ対応する方式１，２の制御プログラムを含む。
【００２２】
運転順序変更時対応プログラム２２ｄは、ポンプＰの運転順序が変更された際のポンプＰの動作を制御するための制御プログラムであり、仕様１，２にそれぞれ対応する方式１，２の制御プログラムを含む。故障発生時対応プログラム２２ｅは、故障が発生した際のポンプＰの動作を制御するための制御プログラムであり、仕様１，２にそれぞれ対応する方式１，２の制御プログラムを含む。故障復帰時対応プログラム２２ｅは、故障が解消された際のポンプＰの動作を制御するための制御プログラムであり、仕様１，２にそれぞれ対応する方式１，２の制御プログラムを含む。
【００２３】
ローダー２０は、パーソナルコンピュータ等の可搬式の情報処理装置によって構成されている。ローダー２０は、プラント設備２毎の仕様テーブル２１とプラント制御プログラム２２とを関連付けして記憶する機能を有する。ローダー２０は、コントローラ３に電気的に接続されている際、コントローラ３に仕様テーブル２１とプラント制御プログラム２２とをアップロードする機能を有する。コントローラ３は、ローダー２０からアップロードされた仕様テーブル２１に記載されている要求仕様に対応する方式の制御プログラムをプラント制御プログラム２２から読み出し、読み出された制御プログラムに従ってポンプＰの動作を制御する。
【００２４】
〔設計支援システムの動作〕
次に、コントローラ３に初めてプラント制御プログラム２２をアップロードするプログラム設計処理と、コントローラ３に既にアップロードされているプラント制御システム２２の仕様を変更する仕様変更処理とに分けて設計支援システム１の動作について説明する。
【００２５】
〔プログラム設計処理〕
始めに、図３に示すフローチャートを参照して、プログラム設計処理を実行する際の設計支援システム１の動作について説明する。
【００２６】
図３に示すフローチャートは、本発明の一実施形態であるプログラム設計処理の流れを示すフローチャートである。図３に示すフローチャートは、技術者が図示しない操作入力装置を操作することによってプログラム設計処理の開始要求を入力したタイミングで開始となり、プログラム設計処理はステップＳ１の処理に進む。
【００２７】
ステップＳ１の処理では、仕様選択部１１が、例えば図４に示すような構成の仕様メニュー３０を図示しない表示装置に表示する。図４に示す仕様メニュー３０は、コントローラ３の各機能の方式（仕様）を選択するためのチェックボックスＣＢと選択操作が完了したことを通知するための決定ボタンＥＢとを備える。技術者は、所望の方式に対応するチェックボックスＣＢを選択操作した後、決定ボタンＥＢを選択操作することによって、要求仕様を入力することができる。これにより、ステップＳ１の処理は完了し、プログラム設計処理はステップＳ２の処理に進む。
【００２８】
ステップＳ２の処理では、仕様選択部１１が、決定ボタンＥＢの選択操作がなされたか否かを判別することによって要求仕様の決定操作がなされたか否かを判別する。そして、仕様選択部１１は、要求仕様の決定操作がなされたタイミングで、ステップＳ１の処理によって選択操作されたチェックボックスＣＢの位置のデータを仕様テーブル作成部１２に入力し、プログラム設計処理をステップＳ３の処理に進める。
【００２９】
ステップＳ３の処理では、仕様テーブル作成部１２は、仕様選択部１１から入力されたチェックボックスＣＢの位置に基づいて選択された方式（仕様）を特定し、特定された方式に基づいて例えば図５に示すような選択された方式の識別情報を示す仕様テーブル２１を作成する。図５に示す仕様テーブル２１は、図４に示すチェックボックスＣＢの選択結果に対応するものである（図４中、黒四角は選択されたチェックボックスＣＢを示す）。これにより、ステップＳ３の処理は完了し、プログラム設計処理はステップＳ４の処理に進む。
【００３０】
ステップＳ４の処理では、仕様テーブル作成部１２が、設計支援装置１０にローダー２０が接続されていることを確認した後、ステップＳ３の処理によって作成した仕様テーブル２１をローダー２０にアップロードする。これにより、ステップＳ４の処理は完了し、プログラム設計処理はステップＳ５の処理に進む。
【００３１】
ステップＳ５の処理の処理では、ローダー２０が、設計支援装置１０にローダー２０が接続されていることを確認した後、技術者からの操作入力に応じてステップＳ４の処理によってアップロードされた仕様テーブル２１と標準のプラント制御プログラム２２とをコントローラ３にローディングする。以後、コントローラ３は、仕様テーブル２１に記載されている要求仕様に対応する制御プログラムをプラント制御プログラム２２から読み出し、読み出された制御プログラムに従ってポンプＰの動作を制御する。また、技術者は、ポンプＰの動作状態が所望の動作状態でない場合、ポンプＰが所望の動作状態になるようにローダー２０内のプラント制御プログラム２２を変更する。これにより、ステップＳ５の処理は完了し、一連のプログラム設計処理は終了する。
【００３２】
〔仕様変更処理〕
次に、図６に示すフローチャートを参照して、仕様変更処理を実行する際の設計支援システム１の動作について説明する。
【００３３】
図６に示すフローチャートは、本発明の一実施形態である仕様変更処理の流れを示すフローチャートである。図６に示すフローチャートは、技術者が図示しない操作入力装置を操作することによって仕様変更処理の開始要求を入力したタイミングで開始となり、仕様変更処理はステップＳ１１の処理に進む。
【００３４】
ステップＳ１１の処理では、変更有無判別部１５が、ローダー２０内に格納されている仕様テーブル２１とその仕様テーブル２１に関連付けされているプラント制御プログラム２２とをダウンロードする。これにより、ステップＳ１１の処理は完了し、仕様変更処理はステップＳ１２の処理に進む。
【００３５】
ステップＳ１２の処理では、変更有無判別部１５が、ステップＳ１１の処理によってダウンロードされたプラント制御プログラム２２とオリジナルプログラムＤＢ１６内に格納されている標準のプラント制御プログラム２２とを例えば差分処理等によって比較することによって、ダウンロードされたプラント制御プログラム２２と標準のプラント制御プログラム２２とが同一のものであるか否かを判別する。
【００３６】
判別の結果、同一のものでない場合、変更有無判別部１５は、ローダー２０内のプラント制御プログラム２２は変更されていると判断し、プラント制御プログラム２２の変更箇所に関する情報をプログラム説明書作成部１３に通知した後、仕様変更処理をステップＳ１４の処理に進める。一方、同一のものである場合には、変更有無判別部１５は、ローダー２０内のプラント制御プログラム２２は変更されていないと判断し、プラント制御プログラム２２が変更されていない旨をプログラム説明書作成部１３に通知した後、仕様変更処理をステップＳ１３の処理に進める。
【００３７】
ステップＳ１３の処理では、プログラム説明書作成部１３が、ステップＳ１１の処理によってダウンロードされた仕様テーブル２１内に記述されている方式の内容を説明する例えば図７に示すような構成のプログラム説明書３１を作成し、作成したプログラム説明書３１を出力部１４に出力する。プログラム説明書は、各方式の説明文を予め記憶しておき、仕様テーブル２１内に記述されている方式に対応する説明文を選択、結合することによって、作成することができる。これにより、ステップＳ１３の処理は完了し、一連の仕様変更処理は終了する。
【００３８】
ステップＳ１４の処理では、プログラム説明書作成部１３が、ステップＳ１１の処理によってダウンロードされた仕様テーブル２１内に記述されている方式のうち、変更されていない方式の内容を説明するプログラム説明書３１を作成し、作成したプログラム説明書３１を出力部１４に出力する。なお、この際、プログラム説明書作成部１３は、変更されている箇所に関する情報をプログラム説明書３１内に含めるようにしてもよい。これにより、ステップＳ１４の処理は完了し、一連の仕様変更処理は終了する。
【００３９】
以後、技術者は、出力部１４から出力されたプログラム説明書と新たな要求仕様を記載した要求仕様書とを比較し、比較結果に基づいてプラント制御プログラム２２を変更する。そして、技術者は、変更したプラント制御プログラム２２をコントローラ３にアップロードする。これにより、ポンプＰは、変更されたプラント制御プログラム２２に従って新たな要求仕様に応じた動作を行うことになる。
【００４０】
以上の説明から明らかなように、本発明の一実施形態である設計支援システム１では、仕様選択部１１が、プラント制御プログラム２２の仕様を選択するための仕様メニュー３０を表示し、仕様メニュー３０の中から選択された仕様のデータを出力し、仕様テーブル作成部１２が、仕様選択部１１から出力された仕様のデータに基づいて、選択された仕様の識別情報を記述した仕様テーブル２１を作成し、ローダー２０に仕様テーブル２１をアップロードする。そして、プログラム説明書作成部１３が、ローダー２０内の仕様テーブル２１をダウンロードし、ダウンロードされた仕様テーブル２１内に記述されている仕様の識別情報に基づいて、仕様テーブル２１に関連付けされているローダー２０内のプラント制御プログラム２２の仕様を説明するプログラム説明書３１を作成する。このような構成によれば、プログラム説明書作成部１３が、仕様メニュー３０の中から選択された仕様の識別情報を記述した仕様テーブル２１に基づいてプログラム説明書３１を作成するので、信頼性が高いプログラム説明書を容易に作成することができる。
【００４１】
また、本発明の一実施形態である設計支援システム１では、変更有無判別部１５が、ローダー２０にアップロードされたプラント制御プログラム２２に対する変更の有無を判定し、プログラム説明書作成部１３は、プラント制御プログラム２２の修正があった場合、変更箇所に対応する仕様以外の仕様を説明するプログラム説明書を作成するので、より信頼性が高いプログラム説明書を作成することができる。
【００４２】
以上、本発明者によってなされた発明を適用した実施の形態について説明したが、本実施形態による本発明の開示の一部をなす記述及び図面により本発明は限定されることはない。例えば、本実施形態では、設計支援装置１０が備える変更有無判別部１５がローダー２０内のプラント制御プログラム２２とオリジナルプログラムＤＢ１６内の標準のプラント制御プログラムとを比較することによって、ローダー２０内のプラント制御プログラム２２に変更が加えられているか否かを判別したが、図８に示すようにローダー２０内に修正管理部２３を設けることによってローダー２０内のプラント制御プログラム２２に変更が加えられているか否かを判別してもよい。
【００４３】
図８に示す修正管理部２３は、修正ロックフラグと解除フラグとを有する。修正ロックフラグ及び解除フラグはそれぞれオン状態及びオフ状態に保持されている。修正ロックフラグ及び解除フラグは、ローダー２０内のプラント制御プログラム２２を修正する際に技術者によってそれぞれオフ操作及びオン操作される。修正ロックフラグは、一度オフ操作されると、再びオン状態になることはない。従って、修正管理部２３は、修正ロックフラグがオン状態であるか否かを判別することによって、プラント制御プログラム２２が変更されたか否かを判定することができる。
【００４４】
修正管理部２３は、判定結果をプログラム説明書作成部１３に入力し、プログラム説明書作成部１３は修正管理部２３から入力された情報を用いてステップＳ１３又はステップＳ１４の処理を実行する。このような構成によれば、オリジナルプログラムＤＢ１６を設ける必要がなくなるので、システムの簡素化及び低コスト化を実現することができる。修正管理部２３は、本発明に係る判定手段として機能する。このように、本実施形態に基づいて当業者等によりなされる他の実施の形態、実施例及び運用技術等は全て本発明の範疇に含まれる。
【符号の説明】
【００４５】
１  設計支援システム
２  プラント設備
３  コントローラ
１０  設計支援装置
１１  仕様選択部
１２  仕様テーブル作成部
１３  プログラム説明書作成部
１４  出力部
１５  変更有無判別部
１６  オリジナルプログラムデータベース（ＤＢ）
２０  ローダー
２１  仕様テーブル
２２  プラント制御プログラム
２２ａ  運転台数決定プログラム
２２ｂ  運転順序設定プログラム
２２ｃ  モード変更時対応プログラム
２２ｄ  運転順序変更時対応プログラム
２２ｅ  故障発生時対応プログラム
２２ｆ  故障復帰時対応プログラム
２３  修正管理部
３０  仕様メニュー
３１  プログラム説明書
ＣＢ  チェックボックス
ＥＢ  決定ボタン
Ｐ  ポンプ
【図１】
2011192213.tif 000003
【図２】
2011192213.tif 000004
【図３】
2011192213.tif 000005
【図４】
2011192213.tif 000006
【図５】
2011192213.tif 000007
【図６】
2011192213.tif 000008
【図７】
2011192213.tif 000009
【図８】
2011192213.tif 000010